(57)【要約】【課題】消費電力の低減を図るべく、外部電源を使用することなく電源回路の制御を行うファクシミリ装置を提供する。【解決手段】主電源回路６０および補助電源回路５０と、商用電源との間にフォトトライアック３７ｂを配置する。このフォトトライアック３７ａの近くにフォトトライアック３７ａに光を供給する発光ダイオード３７ｂを配置する。省電力モード時にはフォトトライアック３７ｂがオフになる。省電力モード時に外部からトーンリンガ信号が入力されると、発光ダイオード３７ｂが発光しフォトトライアック３７ｂがオンになる。【選択図】図２
2005269556.tif 000002
【特許請求の範囲】
【請求項１】
主電源回路および補助電源回路を有する電源回路と商用電源との間に配置され、省電力モード時には、起動信号の入力があるまで前記電源回路と前記商用電源との間の接続をオフにする接続切換回路と、
前記補助電源回路から供給される電力により動作し、省電力モード時には、起動信号の入力があるまで前記主電源回路の動作を停止させる主電源切換回路と、
省電力モード時に、入力されたトーンリンガ信号により得られる電力を用いて、前記接続切換回路および前記主電源切換回路に対して出力される起動信号を生成する信号生成回路と、
を備えたことを特徴とするファクシミリ装置。
【請求項２】
前記接続切換回路は、フォトトライアックを含み、
前記信号生成回路は、入力されたトーンリンガ信号により得られる電力により発光し、前記フォトトライアックに光を供給する発光ダイオードを含むことを特徴とする請求項１に記載のファクシミリ装置。
【請求項３】
外部から入力される信号を検出する信号検出回路と、
前記信号検出回路にトーンリンガ信号の周波数と略同一の周波数の信号が、所定時間継続して入力された場合に、入力された信号をトーンリンガ信号として取り扱う信号確認回路と、
をさらに備えたことを特徴とする請求項１または２に記載のファクシミリ装置。
【請求項４】
前記信号確認回路がＰＩＣにより構成されることを特徴とする請求項３に記載のファクシミリ装置。
【発明の詳細な説明】
【技術分野】
【０００１】
この発明は、公衆回線を介して通信を行うファクシミリ装置に関し、特に省電力化の構成に特徴を有するファクシミリ装置に関する。
【背景技術】
【０００２】
ファクシミリ装置は、公衆回線を介して他の装置との間で通信を行う。この通信では、相手方がいつデータの送信を行うか予期できないため、いつでも公衆回線を介して入力される信号を検出し、検出した信号に応じて動作を行う態勢を整えることが望まれる。
【０００３】
ところが、ファクシミリ装置の各部に電力供給を行う主電源回路を絶えず動作させていると消費電力が大きくなる。この消費電力を低減するためには、使用状況に応じて適宜主電源回路を停止させることが有効である。特に、主電源回路の停止および起動等の制御を、商用電源等の外部電源を使用することなく実行できれば、消費電力を必要最小限に抑えることが可能になる。
【０００４】
ここで、外部電源を使用することなく、所望の動作を行う回路を駆動する従来技術の一例を挙げる。この従来技術は、外部電源からの電力供給を受けることなくトーンリンガ音発生ＩＣを駆動するトーンリンガ電源供給回路に係る技術である（例えば、特許文献１参照。）。この技術では、トーンリンガ信号による得られる電力と電話待機時に回線電圧と同一電圧に充電されたコンデンサからの電力との両方を利用してトーンリンガ音発生ＩＣを駆動している。
【特許文献１】実開平６−２３３５２号公報
【発明の開示】
【発明が解決しようとする課題】
【０００５】
特許文献１に示すように、トーンリンガ信号により得られる電力は貴重な電力源となりえるが、従来のファクシミリ装置はこの貴重な電力源を十分に活用しきれていなかった。
【０００６】
例えば、上述の主電源回路の停止および起動等の制御に必要な電力を、トーンリンガ信号により得られる電力で賄うことが可能であるにもかかわらず、この貴重な電力源が主電源回路の制御に利用されていなかった。
【０００７】
この発明の目的は、消費電力の低減を図るべく、外部電源を使用することなく電源回路の制御を行うファクシミリ装置を提供することである。
【課題を解決するための手段】
【０００８】
この発明は以下の構成を備えている。
【０００９】
（１）主電源回路および補助電源回路を有する電源回路と商用電源との間に配置され、省電力モード時には、起動信号の入力があるまで前記電源回路と前記商用電源との間の接続をオフにする接続切換回路と、
前記補助電源回路から供給される電力により動作し、省電力モード時には、起動信号の入力があるまで前記主電源回路の動作を停止させる主電源切換回路と、
省電力モード時に、入力されたトーンリンガ信号により得られる電力を用いて、前記接続切換回路および前記主電源切換回路に対して出力される起動信号を生成する信号生成回路と、
を備えたことを特徴とする。
【００１０】
この発明に係るファクシミリ装置は、接続切換回路、主電源切換回路、および信号生成回路を備えている。
【００１１】
接続切換回路は、電源回路と商用電源との間の接続のオン／オフを切り換える。電源回路と商用電源との間の接続がオフにされていると、主電源回路だけでなく補助電源回路も動作することがない。
【００１２】
主電源切換回路は、補助電源回路から供給される電力を用いて、主電源回路のオン／オフを切り換える。切換の例として、通常動作時に主電源回路をオンにして、待機時に主電源回路をオフにする手法が挙げられる。
【００１３】
信号生成回路は、電源回路と商用電源との間の接続をオンにするための起動信号、および主電源回路を動作させる起動信号をそれぞれ生成する。起動信号の生成は、トーンリンガ信号により得られる電力を用いてなされるため、起動信号の生成にあたって商用電源等の外部電源からの電力供給は必要ない。
【００１４】
省電力モード時には、主電源回路の動作を停止するだけでなく、接続切換回路が電源回路と商用電源との間の接続をオフにする。外部からトーンリンガ信号が入力されると、信号生成回路が接続切換回路に対して起動信号を出力し、電源回路と商用電源との間の接続がオンになる。さらに、信号形成回路が生成した起動信号が主電源切換回路にも供給され、主電源回路が動作を開始する。
【００１５】
本発明のファクシミリ装置で、省電力モード時に商用電源と電源回路との接続をオフにするのは、消費電力を略ゼロにまで低減するためである。商用電源と電源回路との接続をオフにすることで、電源回路における平滑回路での平滑コンデンサのリーク電流による電力や、主電源回路の発振を停止させるための電力が消費されることがない。
【００１６】
一方で、商用電源と電源回路との接続をオフにしていても、入力されたトーンリンガ信号でファクシミリ装置が起動されるため、通信に支障を来すことはない。
【００１７】
（２）前記接続切換回路は、フォトトライアックを含み、
前記信号生成回路は、入力されたトーンリンガ信号により得られる電力により発光し、前記フォトトライアックに光を供給する発光ダイオードを含むことを特徴とする。
【００１８】
この構成においては、フォトトライアックを介して商用電源と電源回路とが接続されており、このフォトトライアックに向かって光を伝達できる位置に発光ダイオードが配置されている。この発光ダイオードは、トーンリンガ信号により得られる電力で発光する。
【００１９】
省電力モード時に、フォトトライアックをオフにして商用電源と電源回路とを遮断しても、トーンリンガ信号が入力されることにより商用電源と電源回路とが接続される。
【００２０】
（３）外部から入力される信号を検出する信号検出回路と、
前記信号検出回路にトーンリンガ信号の周波数と略同一の周波数の信号が、所定時間継続して入力された場合に、入力された信号をトーンリンガ信号として取り扱う信号確認回路と、
をさらに備えたことを特徴とする。
【００２１】
この構成においては、ファクシミリ装置がさらに信号検出回路および信号確認回路を備えている。
【００２２】
信号検出回路は、ＦＡＸ受信に係る信号（トーンリンガ信号）、電話受信に係る信号、ノイズ等外部からの信号の入力を検出する。信号確認回路は、外部から入力された信号がトーンリンガ信号であることを確認する。
【００２３】
信号確認回路によって、入力された信号がトーンリンガ信号であると認められるためには、入力された信号がトーンリンガ信号の周波数と略同一の周波数で、かつ、同じ周波数の信号が所定時間継続して入力される必要がある。
【００２４】
ここで、略同一としたのは、周波数の±１０％程度の誤差を許容するためである。例えば、トーンリンガ信号が１３００Ｈｚである場合、１１７０Ｈｚ〜１４３０Ｈｚの範囲に含まれない信号はトーンリンガ信号として認識されることがない。
【００２５】
また、たとえ１１７０Ｈｚ〜１４３０Ｈｚの範囲に含まれる信号であっても、所定期間（例えば、１０ｍｓ程度）継続して入力されない信号は、トーンリンガ信号として認識されない。これは、一瞬だけ入力される信号は、ノイズである可能性が高いことを考慮したものである。
【００２６】
（４）前記信号確認回路がＰＩＣにより構成されることを特徴とする。
【００２７】
この構成においては、信号確認回路にワンチップマイコンであるＰＩＣが使用されている。
【００２８】
ここで、ＰＩＣ（Peripheral Interface Cotroller）とは、ＩＣの動作を任意にプログラムすることが可能なワンチップマイクロコンピュータである。ＰＩＣを用いることにより、信号確認回路の機能に必要な演算機能部、メモリ、入出力部等の構成が単一のＩＣに組み込まれ、信号確認回路がコンパクトになる。
【発明の効果】
【００２９】
この発明によれば、以下の効果を奏することができる。
【００３０】
（１）省電力モード時の消費電力を略ゼロにまで低減することが可能になる。
【００３１】
（２）フォトトライアックおよび発光ダイオードを組み合わせた簡易な構成で、省電力モードからの復帰を確実に行うことが可能になる。
【００３２】
（３）ノイズ等による誤動作を防止することが可能になる。
【００３３】
（４）信号確認回路における消費電力を低減し、信号確認回路のコンパクト化を図ることが可能になる。また、ＰＩＣを用いることにより信号確認回路に意図どおりの動作をさせ易くなる。
【発明を実施するための最良の形態】
【００３４】
図１は、本発明のファクシミリ装置の構成の概略を示している。
【００３５】
ファクシミリ装置１は、電源部２、主電源制御部３０、メイン制御部１０、インタフェース部２０、スキャナ部１４、プリント部１５、操作パネル４０、フォトトライアック回路３、およびＡＣプラグ４を備えている。
【００３６】
スキャナ部１４は、ファックス送信に係る原稿の読取を行う。プリント部１５は、ファックス受信に係る画像データの印刷を行う。
【００３７】
インタフェース部２０は、公衆回線１００を介して他の装置と通信するための機能を有しており、ＦＡＸボード２１およびリング検出回路３１を備えている。ＦＡＸボード２１は、予め決められた規格に基づく処理手順により公衆回線１００を介する通信を司る。リング検出回路３１は、公衆回線１００を介して入力されるトーンリンガ信号を検出する。
【００３８】
主電源制御部３０は、パネル検出回路３５および主電源起動回路３６を備えている。
【００３９】
パネル信号検出回路３５は、操作パネル４０上のボタンがユーザにより操作されたか否かを検出する。主電源起動回路３６は、リング検出回路３１、パネル信号検出回路３５、およびメイン制御部１０から出力される信号に基づいて主電源回路６０のオン／オフの制御を行う。本実施形態では、主電源制御部３０が、本発明の主電源切換回路を構成する。
【００４０】
電源部２は、補助電源回路５０および主電源回路６０を備えている。補助電源回路５０は、主電源回路６０による電力の供給が停止している待機モード時において、主電源制御部３０に電力を供給する。主電源回路６０は、メイン制御部１０を含むファクシミリ装置１の各部に対して、所定の電力を供給する。
【００４１】
フォトトライアック回路３は、ＡＣプラグ４と電源部２との間に配置される。フォトトライアック回路３は、ＡＣプラグ４と電源部２と接続のオン／オフの切換を行う。本実施形態では、フォトトライアック回路３が本発明の接続切換回路を構成する。
【００４２】
メイン制御部１０は、ＣＰＵ１１、ＲＯＭ１２、ＲＡＭ１３を備えており、ファクシミリ装置１の各部を総括的に制御する。メイン制御部１０は、上述の電源部２、主電源制御部３０、インタフェース部２０、スキャナ部１４、プリント部１５、および操作パネル４０のそれぞれに接続されている。また、メイン制御部１０は、主電源回路６０を停止させるときに、電源制御部３０に対して後述のＰＳバー信号を出力する。
【００４３】
メイン制御部１０は、ユーザからのコマンドがなく、処理すべきコマンドが存在しない状態が所定の時間以上継続すると、コマンド待機時の消費電力を軽減するために待機モード時に移行させる。この待機モード時において、次にコマンドの入力等がされるまで、主電源回路６０からファクシミリ装置１の各部に対する電力供給はされない。待機モード時において、起動信号を検出することにより、メイン制御部１０は通常動作状態に復帰させ、再び主電源回路６０からの電力供給が開始される。
【００４４】
また、夜間のようにファクシミリ装置１のファックス受信が少ないと考えられるときには、メイン制御部１０は省電力モードに移行する。本実施形態では、メイン制御部１０が内蔵のタイマを基づいて、深夜１１時から翌朝７時までの間に自動的に省電力モードに移行させる。ただし、操作パネルを介して、手動で省電力モードに移行する旨の入力を受け付けるようにしてもよい。省電力モード時には、フォトトライアック回路３によってＡＣプラグ４と電源部２との間が遮断されるため、主電源回路６０だけでなく補助電源回路５０にも電力供給がされることがない。
【００４５】
図２は、電源装置２の主要部の構成を示している。同図に示すように、電源装置２は商用電源７０から所定の電力の供給を受ける。このとき、主電源回路６０と補助電源回路５０とは並列的に配置されており、それぞれ商用電源７０に接続されている。また、商用電源７０と主電源回路６０との間、および商用電源７０と補助電源回路５０との間には、それぞれ整流・平滑動作を行う平滑回路７１が配置されている。さらに、商用電源７０と主電源回路６０との中間に、メインスイッチ７２、フォトトライアック７３ｂ、ノーマル・オープンのリレー接点７４が配置されている。
【００４６】
図において、引用符号７６は、主電源回路６０に設けられたＭＰＳ信号入力端子を示しており、引用符号７５は、補助電源回路５０に接続されたリレーコイルを示しており、引用符号５は、モード切換スイッチを示している。
【００４７】
ＭＰＳ信号入力端子７６は、主電源回路６０をオンにするローレベルの信号（ＭＰＳ−ＯＮ信号）および主電源回路６０をオフするハイレベルの信号（ＭＰＳ−ＯＦＦ信号）の入力を受け付ける。リレーコイル７５は、リレー接点７４の開放／閉成の切換に用いられる。
【００４８】
モード切換スイッチ５は、ファクシミリ装置１を通常動作モードまたは省電力モードに切り換える。通常動作モード時には、モード切換スイッチ５が端子ＳＷｂに接続される。省電力モード時には、モード切換スイッチ５が端子ＳＷａに接続される。モード切換スイッチ５がＳＷａに接続された状態では、主電源回路６０および補助電源回路５０と商用電源７０とがフォトトライアック７３ｂまたはリレー接点７４を介して接続される。このため、フォトトライアック７３ｂおよびリレー接点７４をオフにすることで、主電源回路６０および補助電源回路５０と商用電源７０との間が遮断される。
【００４９】
同図に示す構成において、メインスイッチ７２がオンされるとファクシミリ装置１の起動が開始される。起動時には、モード切換スイッチ５が端子ＳＷｂに接続されている。また、ファクシミリ装置１の起動時にはフォトトライアック７３ｂは導通しておらず、リレー接点７４が開放状態になっている。
【００５０】
このため、起動時には、商用電源７０から補助電源回路５０にのみ電力が供給され、補助電源回路５０が動作を開始する。そして、補助電源回路５０からの電流がリレーコイル７５に流れることにより、リレー接点７４が閉成状態になり、主電源回路６０が動作を開始する。
【００５１】
図３は、主電源回路６０の要部の構成を示している。主電源回路６０におけるＭＰＳ信号入力端子７６には、主電源制御部３０によって生成されるＭＰＳ−ＯＮ信号またはＭＰＳ−ＯＦＦ信号が入力される。ＭＰＳ−ＯＮ信号（ローレベル）がＭＰＳ信号入力端子７６に入力されると、オープンコレクタのインバータ６１の出力段がハイインピーダンス状態となり、スイッチングトランジスタ６２のゲートの強制接地が解除される。このため、スイッチングトランスからスイッチングトランジスタ６２のゲートに入力される帰還信号が有効となりスイッチング発振が行われ、主電源回路６０が動作する。一方で、ＭＰＳ−ＯＦＦ信号（ハイレベル）がＭＰＳ信号入力端子７６に入力されるとスイッチングトランジスタ６２が強制接地することにより主電源回路６０の動作が停止する。
【００５２】
例えば、通常動作状態時において、ＭＰＳ信号入力端子７６にＭＰＳ−ＯＦＦの信号が入力されると、主電源回路６０はその動作を停止し、待機モード時へと移行する。通常、ファクシミリ装置において所定の設定時間以上にわたってコマンド等の入力がされない状態が継続した場合には、メイン制御部１０から主電源制御部３０にＰＳバー信号が出力され、有効なＰＳバー信号を受け付けた主電源起動回路３６がＭＰＳ−ＯＦＦ信号をＭＰＳ信号入力端子７６に入力させる。
【００５３】
一方、待機モード時時において、主電源回路６０のＭＰＳ信号入力端子７６にＭＰＳ−ＯＮ信号が入力されると、主電源回路６０が動作を開始して電源装置２が通常動作状態に復帰する。
【００５４】
図４は、リング検出回路３１および主電源起動回路３６の構成を示している。同図では、公衆回線１００を介して入力されるＦＡＸの信号を起動信号として検出し、主電源回路６０を動作させる回路を示している。本実施形態では、図に示すリング検出回路３１が本発明の信号生成回路を構成する。
【００５５】
まず、主電源回路６０を動作させるためには、ＭＰＳ信号入力端子７６にＭＰＳ−ＯＮ信号を入力する必要があるが、フォトカプラ３８のフォトトランジスタ３８ｂが導通していない状態では、図３に示すオープンコレクタのインバータ６１の入力側のプルアップ抵抗の作用により、ＭＰＳ信号入力端子７６にＭＰＳ−ＯＦＦ信号が入力された状態と同様になっている。
【００５６】
ここで、電源装置２が通常動作状態においては、トランジスタ４２のベース電位が補助電源回路５０の電位ＶSUB が入力されるため、トランジスタ４２は導通している。トランジスタ４２が導通すると、図４における接点Ａの電位がローレベルとなることから、発光ダイオード３８ａの電流が遮断され、フォトトランジスタ３８ｂが導通する。フォトトランジスタ３８ｂが導通すると、ＭＰＳ信号入力端子７６にＭＰＳ−ＯＮ信号が入力し、スイッチングトランジスタ６２にハイレベルの信号を入力するための強制接地が解除されるため、主電源回路６０が動作する。
【００５７】
待機モード時になると、ローレベルのＰＳバー信号が入力されることにより、トランジスタ４２が導通しなくなる。トランジスタ４２が導通しなくなると、接点Ａの電位がハイレベルになる。これにより、フォトトランジスタ３８ｂが導通しなくなりＭＰＳ信号入力端子７６へのＭＰＳ−ＯＮ信号が入力されなくなる。このため、インバータ６１の出力段がローレベルとなり、スイッチングトランジスタ６２のゲートを強制接地することにより主電源回路６０の動作が停止する。
【００５８】
この待機モード時において図４に示すように、公衆回線１００から所定のＦＡＸのトーンリング信号の入力がされると、トーンリンガ信号により得られる電力により、発光ダイオード３７ａおよび発光ダイオード７３ａが発光する。発光ダイオード３７ａが発する光は、フォトトランジスタ３７ｂに伝達され、フォトトランジスタ３７ｂが導通する。発光ダイオード７３ａが発する光は、フォトトライアック７３ｂに伝達され、フォトトライアック７３ｂが導通する。
【００５９】
フォトトライアック７３ｂが導通すると、主電源回路６０および補助電源回路５０と商用電源７０と間が電気的に接続される。このため、主電源回路６０および補助電源回路５０と商用電源７０と間が遮断されている省電力モード時でも、トーンリンガ信号が入力されることによりファクシミリ装置１が通常動作モードに復帰する。
【００６０】
本実施形態では、トーンリンガ信号により得られる電力は、１２ｍＡ程度である。発光ダイオード３７ａおよび発光ダイオード７３ａは５ｍＡ程度の電力で発光する。このため、トーンリング信号により得られる電力のみを利用する場合でも、電力不足になることはない。
【００６１】
また、フォトトランジスタ３７ｂが導通すると、接点Ａの電位がローレベルになりオープンコレクタのバッファ４１がオンし、フォトカプラ３８の出力フォトトランジスタ３８ｂが導通する。これにより、上述と同様にＭＰＳ信号入力端子７６にＭＰＳ−ＯＮ信号が入力するため、主電源回路６０の動作が再開して待機モード時から通常動作状態へと復帰する。
【００６２】
上述のように、ファクシミリ装置１は、通常動作モード、待機モード、または省電力モードのいずれかのモードで動作する。ファクシミリ装置１を待機モードに移行させると、主電源回路６０からの電力供給が中止されるため消費電力が低減される。省電力モードでは、主電源回路６０および補助電源回路５０と商用電源７０と間が遮断されるため待機モードよりもさらに省電力化が図られる。
【００６３】
さらに、ファクシミリ装置１の省電力化を考えると、省電力モードでは、電話受信に係る信号等トーンリンガ信号があってもファクシミリ装置１を起動させないようにするとよい。この入力された信号の判断を実行するための構成として、ＰＩＣを用いるとよい。
【００６４】
ファクシミリ装置１に備えられるＰＩＣは、入力された信号が１１７０Ｈｚ〜１４３０Ｈｚの範囲に含まれるか否かを判断する処理、および入力された信号が１０ｍｓ以上継続して入力されているかを判断する処理等を行うためのプログラムに基づいて動作する。このプログラムは、予めパソコンで作成され、作成後にＰＩＣに書き込まれる。本実施形態では、トーンリンガ信号の周波数は１３００Ｈｚであり、電話受信に係る信号の周波数は１６Ｈｚである。
【００６５】
このようなＰＩＣを備えることにより、ノイズ等によってファクシミリ装置１が起動することを防止できる。また、省電力モードに移行している深夜に電話受信を行わないようにすることもできる。
【００６６】
なお、ＰＩＣ等のワンチップマイクロコンピュータを用いることにより、充電電池の過充電防止を行うようにしてもよい。この場合、不揮発性メモリ等の電源として充電電池を用いる場合に、ワンチップマイクロコンピュータのＡ／Ｄ機能を用いることにより、通常動作中に充電電池の充電制御が行われる。
【００６７】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６８】
【図１】本発明に係るファクシミリ装置の構成の概略を示す図である。
【図２】ファクシミリ装置に備えられる電源回路の構成の概略を示す図である。
【図３】ファクシミリ装置に備えられる主電源回路の要部の構成を示す図である。
【図４】ファクシミリ装置における信号検出回路および主電源起動回路の構成の概略を示す図である。
【符号の説明】
【００６９】
１−ファクシミリ装置
２−電源回路
１０−メイン制御部
１４−スキャナ部
１５−プリント部
２０−インタフェース部
３０−主電源制御部
４０−操作パネル
【図１】
2005269556.tif 000003
【図２】
2005269556.tif 000004
【図３】
2005269556.tif 000005
【図４】
2005269556.tif 000006